(57)【特許請求の範囲】
【請求項１】
１つの回動支点を中心に回動する鍵に設けられたアクチュエータから押圧力を受ける被駆動部を有し、該被駆動部が押圧力を受けることによって、前記鍵の押鍵途中に複数の可動接点が対応する固定接点に対して時間差をもって順番にメイクする電子鍵盤楽器の接点装置であって、
前記被駆動部と一体の第１伏椀部と、この第１伏椀部の口部の外周に一体形成された第２伏椀部と、この第２伏椀部の外周に一体形成されこの第２伏椀部を固定パターンが形成された面に接続固定する固定支持部材とを有し、前記第１の伏椀部の口部に前記複数の可動接点が設けられ、
前記複数の可動接点は同一面内に形成され、
前記同一面は、前記固定接点がパターン形成される面に対し平行であって、この面に対し斜め方向から前記被駆動部に押圧力を付与し、
前記アクチュエータは、前記被駆動部に対する傾斜した当接面を有し、前記可動接点と固定接点がメイクする前から前記当接面が被駆動部に当接し、当接した状態で前記当接面の傾斜角度が一定方向に徐々に大きくなるように前記可動接点を斜め方向から押し下げて駆動することを特徴とする電子鍵盤楽器の接点装置。
【請求項２】
押圧力を受ける被駆動部を有し、該被駆動部が押圧力を受けることによって、複数の可動接点が対応する固定接点に対して時間差をもって順番にメイクする電子鍵盤楽器の接点装置であって、
前記第１伏椀部の中央部内側にこの第１伏椀部と一体で前記口部より下側に突出する反力部材を有し、この反力部材は前記被駆動部の非押圧時又は押圧後最初の可動接点が固定接点に当接する前に該固定接点がパターン形成される面に当接した状態となることにより前記第１及び第２伏椀部の弾性変形による反力に加えて押圧力に対する反力を大きくするように構成されたことを特徴とする請求項１に記載の電子鍵盤楽器の接点装置。
【発明の詳細な説明】
【０００１】
【発明の属する技術分野】
この発明は電子楽器等に用いられる接点装置に関し、特に時間差をもってメイクする多段スイッチの接点装置に関するものである。
【０００２】
【従来の技術】
電子鍵盤楽器等においては、押鍵された鍵のキーコード信号や押鍵速度等を検知するために各鍵に対応してゴム等の弾性材料からなる伏椀状の２段メイクのキースイッチが備っている。このような２段メイクスイッチは、プリント板等からなるベース上に伏椀状スイッチを固定し、この伏椀状スイッチの内面側に環状の第１可動接点を突出させその中心部に第２可動接点を第１可動接点の突出長さと異ならせて突出させ、各可動接点に対応してベース面側に固定接点パターンを形成した構成である。押鍵動作に応じてアクチュエータが伏椀状スイッチを弾性変形させると、まず突出長さの長い第１または第２可動接点がメイクし、続いて突出長さの短い可動接点がメイクする。
【０００３】
また従来、伏椀状の可撓性部材スイッチの内面側に環状の可動部材を設け、この環状可動部材の端面に複数の可動接点端子を形成し、これらの可動接点端子の突出長さを変えることにより、可動端子の閉成時間をずらせるようにした多段キースイッチが提案されている。
【０００４】
【発明が解決しようとする課題】
しかしながら、従来の２段メイクスイッチにおいては、各可動接点の突出長さを変える場合に、可動接点の接点端面を固定接点のパターン面と平行のまま各可動接点の突出長さを変えて製造することが容易でなく、製造プロセスに手間を要するものであった。また、従来のスイッチ構造では、電気的安定性を保って導通状態を保持するためには導通接点間の圧力をなるべく大きくしなければならないが、この圧力は接点メイク後の弾性変形部の力からメイク前の弾性変形部の力を差引いたものであるため、メイク前の弾性変形部の力をあまり大きくすることはできなかった。このため鍵の押し下げ初期の段階で変形する部材の反力が小さくなり、スイッチの押圧タッチ感触が悪くなるとともに、スイッチメイク後の安定化が維持できずチャタリングを起こす場合があった。
【０００５】
この発明は上記従来技術の欠点に鑑みなされたものであって、製造が容易な多段メイクスイッチの接点装置の提供を第１の目的とする。この発明の第２の目的はチャタリングを抑制し電気的安定性が高くかつ押圧感触が良好な接点装置の提供を目的とする。
【０００６】
前記第１の目的を達成するため、請求項１に係る発明では、１つの回動支点を中心に回動する鍵に設けられたアクチュエータから押圧力を受ける被駆動部を有し、該被駆動部が押圧力を受けることによって、前記鍵の押鍵途中に複数の可動接点が対応する固定接点に対して時間差をもって順番にメイクする電子鍵盤楽器の接点装置であって、前記被駆動部と一体の第１伏椀部と、この第１伏椀部の口部の外周に一体形成された第２伏椀部と、この第２伏椀部の外周に一体形成されこの第２伏椀部を固定パターンが形成された面に接続固定する固定支持部材とを有し、前記第１の伏椀部の口部に前記複数の可動接点が設けられ、前記複数の可動接点は同一面内に形成され、前記同一面は、前記固定接点がパターン形成される面に対し平行であって、この面に対し斜め方向から前記被駆動部に押圧力を付与し、前記アクチュエータは、前記被駆動部に対する傾斜した当接面を有し、前記可動接点と固定接点がメイクする前から前記当接面が被駆動部に当接し、当接した状態で前記当接面の傾斜角度が一定方向に徐々に大きくなるように前記可動接点を斜め方向から押し下げて駆動することを特徴とする電子鍵盤楽器の接点装置を提供する。
【０００７】
また、請求項２に係る発明においては、請求項１の発明において、押圧力を受ける被駆動部を有し、該被駆動部が押圧力を受けることによって、複数の可動接点が対応する固定接点に対して時間差をもって順番にメイクする電子鍵盤楽器の接点装置であって、前記第１伏椀部の中央部内側にこの第１伏椀部と一体で前記口部より下側に突出する反力部材を有し、この反力部材は前記被駆動部の非押圧時又は押圧後最初の可動接点が固定接点に当接する前に該固定接点がパターン形成される面に当接した状態となることにより前記第１及び第２伏椀部の弾性変形による反力に加えて押圧力に対する反力を大きくするように構成されたことを特徴としている。
【００１０】
【作用】
請求項１に係る発明では、押し下げ時に固定接点に対し時間差をもって当接する複数の可動接点の端面は、段差をもたず同一面内に形成されている。
【００１２】
本発明では、この同一面を固定接点パターン面と平行に形成するとともに、被駆動部に対しアクチュエータが斜め方向から力を付与する構成とする。これにより、各可動接点が斜め方向に動作するため固定接点に当接するタイミングがずれる。
【００１３】
前記第２の目的を達成するため、請求項２に係る発明では、伏椀状スイッチの内面側中心部に反力部材が突出する。スイッチメイク時にはこの反力部材が固定接点が形成されたベースに当接してスイッチを支持する。この場合、反力部材はスイッチの非押し下げ時に常にベースに当接した構成としてもよいし、あるいは押し下げ直後に最初の可動接点がメイクする前にベースの上面に当接する構成としてもよい。これにより、スイッチメイク時の安定性が高まりチャタリングが抑制されるとともにスイッチの押し下げ反力が高まり押鍵感触が向上する。
【００１４】
【実施例】
図１は本発明の参考例に係る接点装置の構成図である。プリント基板からなるベース１上に例えば電子楽器の操作パネル２が取付けられている。ベース１上に本参考例に係るゴムスイッチ３が固定される。ゴムスイッチ３は、押し下げ力を受ける被駆動部５と、第１伏椀部６と、この第１伏椀部６の環状の口部７と、この口部７の外周部に形成された第２伏椀部８とからなる。被駆動部５は直接指等により押圧してもよいし、あるいは一点鎖線で示すように、アクチュエータ４（または押しボタン）を介して押圧するように構成してもよい。第１伏椀部６の口部７には第１可動接点９および第２可動接点１０が形成される。これらの第１および第２可動接点９、１０に対応して、ベース１の上面に第１固定接点１１および第２固定接点１２がパターン形成される。このゴムスイッチ３は、第２伏椀部８の口部となる固定支持部１３を介してベース１に連結固定される。
【００１５】
第１可動接点９および第２可動接点１０は、図示したように、第１伏椀部６の口部７の端面に分離して形成される。即ち、可動接点９、１０はともに同一の第１伏椀部６の口部７の端面である可動接点形成面１４内に形成される。この可動接点形成面１４は、固定接点１１、１２が形成されたベース１に対し、第１可動接点９が第２可動接点１０よりもベースの上面に近づくように傾斜して形成されている。このような構成とすることにより、アクチュエータ４を押し下げたとき、第２伏湾部８がまず弾性変形して第１可動接点９が第１固定接点１１に当接して第１段目のスイッチがメイクする。さらにアクチュエータ４を押し下げることにより第１伏湾部６が弾性変形して第２可動接点１０が第２固定接点１２に当接して第２段目のスイッチがメイクする。このように斜めに形成された可動接点形成面１４に第１および第２の可動接点９、１０を形成しておくことにより、アクチュエータ４によりこのゴムスイッチ３の被駆動部５を垂直に押し下げたときに第１および第２の可動接点９、１０が時間差をもって順番にメイクさせることができる。このような傾斜した可動接点形成面１４は、例えば第１伏湾部６の口部７を斜めに切断することにより容易に製造可能である。
【００１６】
図２は本発明の実施例の構成図である。この実施例は、電子鍵盤楽器の楽音制御用スイッチとして用いたゴムスイッチである。鍵１５はその後端部のヒンジ部１６を介して鍵支持部材２０に対し回動可能に装着されている。この鍵支持部材２０の下部にベース（プリント基板）１が固定され、その上に２メイク式のゴムスイッチ３が搭載される。このゴムスイッチ３においては、第１伏湾部６の口部７の端面である可動接点形成面１４がベース１の上面に対し平行に形成され、第１および第２可動接点９、１０とこれらに対応する第１および第２固定接点１１、１２間の距離が等しい構成である。アクチュエータ４は鍵１５の下部に一体形成されている。鍵１５は押鍵時にその後端部のヒンジ部１６を中心に回動する。ゴムスイッチ３の被駆動部５に対するアクチュエータ４の当接面（駆動面）１７は、図示したように傾斜し、ゴムスイッチ３に対し斜め方向から押し下げ力を付与する。この場合、押鍵ストロークが進むに従って鍵１５がヒンジ部１６を中心に回動して押し下げられるため（矢印Ｐ）、アクチュエータ４の当接面１７の傾斜は点線で示すようにさらに角度が大きくなる。このようにベース１の表面に対し垂直な上下方向ではなく斜め方向から押し下げ力を付与することにより、図の例では、被押下時に第１可動接点９と第２可動接点１０がそれぞれ固定接点１１、１２から同じ高さに形成されていても、第１可動接点９が先に第１固定接点１１に当接してスイッチをメイクする。これにより、第１、第２の２段メイクのスイッチ動作が達成される。なお、この場合、第１可動接点９の突出長さを第２可動接点１０より長く形成しておいてもよい。
【００１７】
図３は本発明のさらに別の実施例の構成図である。プリント基板からなるベース１の上部に操作パネル２が取付けられている。ベース１上に本実施例のゴムスイッチ３が搭載される。このゴムスイッチ３は、押しボタン１８から押圧力を受ける被駆動部５と、第１伏椀部６と、この第１伏椀部６の口部７と、この口部７の外周に形成された第２伏椀部８と、この第２伏椀部８をベース１に接続固定させる固定支持部１３とにより構成される。第１伏椀部６の口部７には突出高さの異なる第１可動接点９および第２可動接点１０が形成される。また、本実施例では、第１伏椀部６の中央部内側にはベース１に達する反力部材１９が形成される。この反力部材１９は、被駆動部５に押し下げ力が加わっていない非押下時にベース１に当接した状態である。あるいは、被駆動部５を僅かに押込んだ状態で最初の可動接点がメイクする前にベース表面に当接するように形成してもよい。
【００１８】
このような反力部材１９を設けることにより、押しボタン１８の押し下げ時、特に押し下げ直後に反力を大きくすることができ、スイッチの押圧感触が良好になるとともに、スイッチメイク後に安定して良好な導通状態が保たれ、チャタリングが抑制される。なお、このような反力部材１９を設けるスイッチは、２メイクスイッチに限らず、ワンメイクスイッチにも適用することができる。
【００１９】
【発明の効果】
以上説明したように、本発明では、環状口部の端面を斜めに形成しこの同一傾斜端面に第１および第２の可動接点を設けることにより、あるいはスイッチを斜め方向から押圧することにより、同一面上に形成した２つの可動接点のメイク時間をずらせることができる。このような構成を用いることにより、２メイク式のスイッチ構造の接点装置を容易に製造可能とすることができる。
【００２０】
また、伏椀状の弾性部材の中央部内側に反力部材１９を突出させて設けることにより、スイッチの押し下げ時、特に押し下げ直後に反力を大きくすることができ、スイッチの押圧感触が良好になるとともに、スイッチメイク後に安定して良好な導通状態が保たれ、チャタリングが抑制されて電気的導通の安定性が向上しスイッチ動作の信頼性が高まる。
【図面の簡単な説明】
【図１】  この発明の参考例の構造説明図である。
【図２】  この発明の実施例の構成説明図である。
【図３】  この発明のさらに別の実施例の断面構成図である。
【符号の説明】
１：ベース（プリント基板）、２：操作パネル、３：ゴムスイッチ、４：アクチュエータ、５：被駆動部、６：第１伏椀部、７：口部、８：第２伏椀部、９：第１可動接点、１０：第２可動接点、１１：第１固定接点、１２：第２固定接点、１３：固定支持部、１４：可動接点形成面、１９：反力部材。
【図１】
0003656235.tif 000002
【図２】
0003656235.tif 000003
【図３】
0003656235.tif 000004